(57)【特許請求の範囲】
【請求項１】
第１および第２の腕状部材に電力を独立に供給するために、前記腕状部材間で蝶番運動させるための結合装置であって、
前記結合装置が、
第１のボス部材であって、当該第１のボス部材を貫通して延在する通路を有し、前記第１のボス部材が前記第１の腕状部材に対して固定される、第１のボス部材と、
第２のボス部材であって、当該第２のボス部材を貫通して延在する通路を有し、前記第１のボス部材の通路が、前記第２のボス部材の通路に対して、同軸的に位置合わせされ、前記第２のボス部材が、前記第２の腕状部材に対して固定される、第２のボス部材と、
中央枢動部材とを含んでおり、
前記中央枢動部材が、
前記両ボス部材の中央の両通路を少なくとも部分的に貫通して延在するようにされて、前記第１の腕状部材と前記第２の腕状部材との間で、相対的な蝶番運動を可能にする、差込部と、
前記第１の腕状部材に電力を供給するための第１の導電体、および前記第２の腕状部材に電力を供給するための第２の導電体を、受け入れるための中央通路と、
前記第１の腕状部材と前記第２の腕状部材との間で相対的な蝶番運動が行われるとき、前記第１の導電体および前記第２の導電体を隔置した関係で保持するための分離部とを含む、結合装置。
【請求項２】
さらに、前記中央枢動部材が、支持台と係合するための取付部を含む、請求項１に記載の結合装置。
【請求項３】
前記中央枢動部材の中央通路が、前記取付部を貫通して延在する、請求項２に記載の結合装置。
【請求項４】
前記第１のボス部材および前記第２のボス部材が、全体として円形の通路を有し、
中央枢動部材の前記差込部が、全体として円形の形状である、請求項１から３の何れか一項に記載の結合装置。
【請求項５】
前記第１のボス部材および前記第２のボス部材のそれぞれが、前記第１および第２の腕状部材のそれぞれに対して、前記第１および第２の導電体への通路となるように、前記第１のボス部材および前記第２のボス部材の中で、半径方向に配置された孔を有する、請求項１から４の何れか一項に記載の結合装置。
【請求項６】
前記中央枢動部材の前記分離部が、前記中央通路中に少なくとも部分的に延在するウェブ構成として設けられる、請求項１から５の何れか一項に記載の結合装置。
【請求項７】
前記第１のボス部材、前記第２のボス部材および前記中央枢動部材が、電気絶縁特性を有する材料から構成される、請求項１から６の何れか一項に記載の結合装置。
【請求項８】
前記第１のボス部材、前記第２のボス部材および前記中央枢動部材が、高分子材料から形成される、請求項１から７の何れか一項に記載の結合装置。
【請求項９】
衣類を暖めるための折畳式骨組であって、前記折畳式骨組が、
一対の全体として細長い第１の腕状部材を含む第１の腕状部組立体であって、前記第１の腕状部組立体の間に延在する複数の細長い衣類吊り部材によって、前記第１の腕状部材が平行に隔置された関係で保持される、第１の腕状部組立体と、
一対の全体として細長い第２の腕状部材を含む第２の腕状部組立体であって、前記第２の腕状部組立体の間に延在する複数の細長い衣類吊り部材によって、前記第２の腕状部組立体が平行に隔置された関係で保持される、第２の腕状部組立体と、
前記第１の腕状部組立体と前記第２の腕状部組立体との間で相対的に蝶番運動させるように、それぞれ前記第１および第２の腕状部材の隣接した末端部の間に配置される、第１の結合装置および第２の結合装置とを含んでおり、
少なくとも１つの結合装置が、
第１のボス部材であって、当該第１のボス部材を貫通して延在する通路を有し、隣接した第１の腕状部材に対して固定される、第１のボス部材と、
第２のボス部材であって、当該第２のボス部材を貫通して延在する通路を有し、前記第１のボス部材の通路が、前記第２のボス部材の通路に対して同軸的に位置合わせされ、前記第２のボス部材が、隣接した第２の腕状部材に対して固定される、第２のボス部材と、
差込部を含む中央枢動部材であって、前記差込部が、前記両ボス部材の中央の両通路を少なくとも部分的に貫通して延在するようにされて、前記第１の腕状部材と前記第２の腕状部材との間で相対的な蝶番運動を可能にする、中央枢動部材と、
中央通路であって、当該中央通路は、前記細長い衣類吊り部材に付属した加熱要素に電力を供給するために、前記隣接した第１の腕状部材を介して前記第１の腕状部組立体に電力を供給するための第１の導電体を受け入れるためであり、且つ前記第２の腕状部材に付属した加熱要素に電力を供給するために、前記隣接した第２の腕状部材を介して前記第２の腕状部組立体に電力を供給するための第２の導電体を受け入れるためである、中央通路と、
前記第１の腕状部材と前記第２の腕状部材との間で相対的な蝶番運動が行われるとき、前記第１の導電体および前記第２の導電体を隔置した関係で保持するための分離部とを含む、折畳式骨組。
【請求項１０】
前記第１の腕状部組立体および前記第２の腕状部組立体が、組み立てられていない構成から互いに対して別々に可動であり、それによって前記両腕状部組立体が、前記結合装置から、下部で、直接組み立てられた構成まで伸び、それによって前記両腕状部組立体が全体として水平面に伸びる、請求項９に記載の折畳式骨組。
【請求項１１】
前記結合装置のそれぞれが、支持台と係合するための取付部を含む、請求項９または１０に記載の折畳式骨組。
【請求項１２】
前記少なくとも１つの結合装置の中央通路が、その取付部を貫通して延在する、請求項１１に記載の折畳式骨組。
【請求項１３】
前記少なくとも１つの結合装置の第１のボス部材および第２のボス部材が、全体として円形の通路を有し、中央枢動部材の前記差込部が、全体として円形の形状である、請求項９から１２の何れか一項に記載の折畳式骨組。
【請求項１４】
前記少なくとも１つの結合装置の第１のボス部材および第２のボス部材のそれぞれが、前記第１および第２の腕状部材のそれぞれに対して前記第１および第２の導電体のへの通路になるように、前記第１のボス部材および前記第２のボス部材の中に、半径方向に配置された孔を有する、請求項９から１３の何れか一項に記載の折畳式骨組。
【請求項１５】
前記少なくとも１つの結合装置の中央枢動部材の分離部が、ウェブ構成として設けられ、前記ウェブ構成が、少なくとも部分的に軸方向に前記中央通路中に延在する、請求項９から１４の何れか一項に記載の折畳式骨組。
【請求項１６】
前記少なくとも１つの結合装置の、第１のボス部材、第２のボス部材、および中央枢動部材が、電気絶縁特性を有する材料から構成される、請求項９から１５の何れか一項に記載の折畳式骨組。
【請求項１７】
前記少なくとも１つの結合装置の、第１のボス部材、第２のボス部材、および中央枢動部材が、高分子材料から形成される、請求項９から１６の何れか一項に記載の折畳式骨組。
【請求項１８】
衣類を暖めるための折畳式骨組組立体であって、前記折畳式骨組組立体が、
請求項９から１７の何れか一項に記載の少なくとも１つの折畳式骨組と、
前記第１の腕状部組立体と前記第２の腕状部組立体との独立した運動を可能にするように、前記第１の結合装置および前記第２の結合装置において、前記少なくとも１つの折畳式骨組を支持するための支持台とを含む、折畳式骨組組立体。
【請求項１９】
前記折畳式骨組組立体が、
第１の一対の垂直支持部材であって、当該第１の一対の垂直支持部材のそれぞれが垂直
方向に配置され、前記第１および第２の結合装置と係合される、第１の一対の垂直支持部
材と、
上側補強部材および下側補強部材であって、前記上側補強部材および前記下側補強部材のそれぞれが、前記少なくとも１つの折畳式骨組のそれぞれ上側および下側で、前記第１の一対の垂直支持部材の間に全体的に水平に延在する、上側補強部材および下側補強部材と、
第２の一対の垂直支持部材であって、当該第２の一対の垂直支持部材のそれぞれが、垂直方向で前記第１の一対の垂直支持部材の間に配置されて隔置され、前記第１の腕状部組立体と前記第２の腕状部組立体との間で、下げられた位置から組み立てられた水平位置までの自由な相対的蝶番運動を可能にする、第２の一対の垂直支持部材と、
上側および下側の結束部材であって、前記第２の一対の垂直支持部材の上側および下側の末端部から伸び、前記上側および下側の補強部材のそれぞれに対して蝶番運動可能に結合されており、前記少なくとも１つの折畳式骨組が下げられた位置にあるとき、前記第２の一対の垂直支持部材が、前記第１の一対の垂直支持部材に隣接して移動することを可能にする、上側および下側の結束部材とを含む、請求項１８に記載の折畳式骨組組立体。
【請求項２０】
さらに、前記第１および第２の腕状部組立体を、前記第２の一対の垂直支持部材と係合するための、取り外し可能で係合可能な係合機構を含む、請求項１９に記載の折畳式骨組組立体。
【請求項２１】
前記第１の導電体および前記第２の導電体が、前記第１の一対の垂直支持部材及び前記第２の一対の垂直支持部材の少なくとも１つを貫通して延在する、請求項１９または２０に記載の折畳式
骨組組立体。
【発明の詳細な説明】
【技術分野】
【０００１】
本発明は、衣類を暖めるための衣類加温器の分野に関する。より詳しくは、本発明は、衣類を暖めるための折り畳める衣類加温器に関する。
【背景技術】
【０００２】
衣類、たとえばタオルや他の風呂用衣料を加熱する、または暖めるための台やラックは、使用者が着る、または使用する前にその衣類を予熱する、または暖めるためにしばしば使用される。特に、冬の数ヶ月の期間、気温が比較的低い国で、特に国のなかでもヨーロッパの国では、使用者が衣類を着用したとき、その衣類と使用者との間の温度差による衝撃を和らげる予熱された衣料を準備し、また衣類に溜まったわずかな湿気を取り除くために、そのようなラックがしばしば使用される。
【０００３】
上記に述べたような装置は、通常主電源から給電し、加熱要素が衣類を保持するラック状の部分に、またはそれに隣接して配置され、その加熱要素は、加熱暖気を対流または伝導何れかによって衣類に施し、それによって衣類を暖める。使用者が比較的接近した加熱要素に曝されるので、その装置は、特にヨーロッパの国で使用されるときは、ＣＥマーキングおよびＧＳマークに適合しなければならない。危険がいくらかより高い製品について例外があるが、大部分の製品は、製造業者が必須要件に適合していると自己宣言することができる。ＣＥマーキングを使用すると、欧州連合への製品の参入が許されるが、それは、承認証明ではなく、ＣＥマーキングは、単なる供給業者自身の責任による宣言である。したがって、ヨーロッパの市場で製品の販売が可能になるとともに、そのマーキングによって、商品の自由な移動が可能になり、不適合品や違反品の回収が許される。
【発明の開示】
【発明が解決しようとする課題】
【０００４】
本発明の目的は、従来技術の衣類加温器が示す欠陥の少なくともいくつかを克服する、または実質的に軽減する衣類加温器を提供することである。
【課題を解決するための手段】
【０００５】
全体的な広い態様では、本発明は、第１および第２の腕状部材に電力を独立に供給するために、それら腕状部材の間で蝶番運動させるための結合装置を提供する。前記装置は、少なくとも２組の導電体を受け入れ、少なくとも１組の導電体を前記腕状部材のそれぞれに引き渡す（送達する、配る）ための中央部を含み、中央部のまわりで腕状部材が蝶番運動するとき、中央部は、前記腕状部材の蝶番運動サイクルの所定最小数の間、導電体の構造的な完全性を維持するように、隔置された関係で前記導電体を保持することを特徴とする。
【０００６】
蝶番運動サイクルの所定数は、好ましくは、電気部品に対する規定認可標準を満たす数である。好ましくは、中央部が枢動軸を形成するようになされ、前記導電体が、中央部によって軸方向に受け入れられ、前記腕状部材のそれぞれに対して半径方向外側に分配される。導電体は、好ましくは、前記中央部内の軸穴中に受け入れられ、前記中央部は、導電体を互いに隔置して保持するための繊維部を含む。
【０００７】
第１の態様では、本発明は、第１および第２の腕状部材に電力を独立に供給するために、それら腕状部材間で蝶番運動させるための結合装置を提供する。前記装置は、それを貫通して延在する通路を有し、第１の腕状部材に対して固定された第１のボス部材と、それを貫通して延在する通路を有する第２のボス部材であって、第１のボス部材の通路は、第２のボス部材の通路と同軸上で位置合わせされ、前記第２のボス部材は、第２の腕状部材に対して固定される、第２のボス部材と、ボス部材の中央通路中に少なくとも部分的に貫通して延在して、第１の腕状部材と第２の腕状部材の間で相対的な蝶番運動を可能にするようになされた差込部を含んだ中央枢動部材と、第１の腕状部材に電力を供給するための第１の導電体、および第２の腕状部材に電力を供給するための第２の導電体を受け取るための中央通路と、第１の腕状部材と第２の腕状部材の間で相対的に蝶番運動が行われるとき、第１の導電体と第２の導電体を隔置した関係で保持するための分離部とを含む。
【０００８】
第２の態様では、本発明は、衣類を暖めるための折畳式骨組を提供する。前記骨組は、その間に延在する複数の細長い衣類吊り部材によって平行に隔置された関係で保持される、一対の全体として細長い第１の腕状部材を含んだ第１の腕状部組立体と、その間に延在する複数の細長い衣類吊り部材によって平行に隔置された関係で保持される、一対の全体として細長い第２の腕状部材を含んだ第２の腕状部組立体と、第１の腕状部組立体と第２の腕状部組立体の間で相対的に蝶番運動させるように、第１および第２の腕状部材の隣接した末端部間にそれぞれ配置された第１の結合装置および第２の結合装置とを含み、少なくとも１つの結合装置は、それを貫通して延在する通路を有し、隣接した第１の腕状部材に対して固定された第１のボス部材と、それを貫通して延在する通路を有する第２のボス部材であって、第１のボス部材の通路は、第２のボス部材の通路と同軸上に位置合わせされ、前記第２のボス部材は、隣接した第２の腕状部材に対して固定される、第２のボス部材と、ボス部材の中央通路中を少なくとも部分的に貫通して延在し、第１の腕状部材と第２の腕状部材との間で相対的な蝶番運動を可能にするようになされた差込部を含んだ中央枢動部材と、細長い衣類吊り部材に付随した加熱要素に電力を供給するために、隣接した第１の腕状部材を介して、第１の腕状部組立体に電力を供給するための第１の導電体を受け入れ、そして第２の腕状部材に付随した加熱要素に電力を供給するために、隣接した第２の腕状部材を介して、第２の腕状部組立体に電力を供給するための第２の導電体を受け入れるための中央通路と、第１の腕状部材と第２の腕状部材の間で相対的な蝶番運動が行われるとき、第１の導電体および第２の導電体を隔置された関係で保持するための分離部とを含む。
【０００９】
第２の態様の実施形態では、第１の腕状部組立体および第２の腕状部組立体は、好ましくは、組み立てられていない構成から互いに対して別々に可動であり、それによってそれら腕状部組立体が、結合装置から下部で、直接組み立てられた構成になるように伸び、それによって腕状部材が全体的に水平面に伸びる。
【００１０】
第３の態様では、本発明は、衣類を暖めるための折畳式骨組組立体を提供する。前記組立体は、上記の態様の何れかによる、少なくとも１つの折畳式骨組と、第１の結合部材および第２の結合部材において前記少なくとも１つの折畳式骨組を支持し、第１の腕状部組立体および第２の腕状部組立体の独立した運動を可能にするための支持台とを含む。
【００１１】
第３の態様の実施形態では、骨組組立体は、好ましくは、それぞれが垂直方向に配置され、第１および第２の結合部材と係合した、第１の一対の垂直支持部材と、それぞれが少なくとも１つの折畳式骨組のそれぞれ上側および下側に、そして第１の一対の垂直支持部材の間で全体的に水平方向に伸びた、上側補強部材および下側補強部材と、それぞれが垂直方向で第１の一対の垂直支持部材の間に配置されて隔置され、下げられた位置から組み立てられて水平位置になるように、第１の腕状部組立体と第２の腕状部組立体の間での自由で相対的な蝶番運動を可能にする、第２の一対の垂直支持部材と、第２の一対の垂直支持部材の下側および上側の末端部から延在し、それぞれ上側および下側の補強部材と蝶番運動可能に係合しており、少なくとも１つの折畳式骨組が下げられた位置にあるとき、第２の一対の垂直支持部材を、第１の一対の垂直支持部材に隣接して移動可能にするための上側および下側の部材とを含む。
【００１２】
好ましくは、さらに、折畳式骨組組立体は、第１および第２の腕状部組立体を第２の一対の垂直支持部材と係合するための、取り外し可能で係合可能な係合機構を含む。
【００１３】
第１、第２および第３の態様の実施形態では、第１の導電体および第２の導電体は、好ましくは、支持部材および第１の一対の垂直支持部材の少なくとも１つを貫通して延在する。
【００１４】
さらに、中央枢動部材は、好ましくは、支持台と係合するための取付部を含む。中央枢動部材の中央通路は、好ましくは、取付部を貫通して延在する。
【００１５】
第１のボス部材および第２のボス部材は、好ましくは、全体として円形の通路を有し、中央枢動部材の差込部は、全体として円形の形状である。
【００１６】
好ましくは、第１のボス部材および第２のボス部材は、第１および第２の導電体のそれぞれ第１および第２の腕状部材への通路になるように、それぞれその中に半径方向に配置された孔を有する。中央枢動部材の分離部は、好ましくは、軸方向で少なくとも部分的に中央通路中に延在するウェブ（蜘蛛の巣、繊維（Ｗｅｂ））構成として、設けられる。
【００１７】
第１のボス部材、第２のボス部材および中央枢動部材は、好ましくは、電気絶縁特性を有する材料から形成される。より好ましくは、第１のボス部材、第２のボス部材および中央枢動部材は、高分子材料から形成される。
【００１８】
ここで、例としてだけで添付図面を参照して、本発明を記載する。
【発明を実施するための最良の形態】
【００１９】
以下の記載は、本発明による結合機構、折畳式骨組、及び折畳式骨組組立体の好ましい実施形態に言及している。本発明の理解を容易にするため、記載では添付図面が参照され、それによってアダプタが好ましい実施形態の形で例示される。実施形態の間で類似の構成要素は、同じ参照番号で識別する。
【００２０】
図１ａ、図１ｂ、図１ｃおよび図１ｄを参照すると、第１および第２の腕状部材４０、４０ａの間で蝶番運動を行わせ、電気ケーブル２０、２０ａを介して腕状部材４０、４０ａに電力を独立に供給するための結合装置１０が示されている。結合装置１０は、本実施形態では第１の腕状部材４０と一体形成された第１のボス（突起）部材３０と、やはり本実施形態では第２の腕状部材４０ａと一体形成された第２のボス部材３０ａとを含む。ボス部材３０、３０ａの通路を貫通して延在してピン継手を形成し、腕状部材４０と腕状部材４０ａの間で蝶番運動を可能にするようになされた差込部１６を含んだ、中央枢動部材１２が設けられる。
【００２１】
図２ａ、図２ｂおよび図２ｃを参照すると、本発明による、衣類を暖めるための折畳式骨組の実施形態が示されている。折畳式骨組４０は、その間に延在する複数の細長い衣類吊り部材４２によって平行に隔置された関係で保持された、一対の全体として細長い第１の腕状部材を含んだ第１の腕状部組立体を含む。また、その間に延在する複数の衣類吊り部材４２によって平行に隔置された関係で保持された、一対の全体として細長い第２の腕状部材３０ａをやはり含んだ第２の腕状部組立体も設けられる。第１の腕状部組立体と第２の腕状部組立体の間に、第１の腕状部組立体と第２の腕状部組立体の間で相対的に蝶番運動が行えるように、第１の結合装置および第２の結合装置が、それぞれ第１および第２の腕状部材３０、３０ａの隣接した末端部の間に配置される。本実施形態では、一方の結合装置は、衣類をその上に置いて衣類を加熱する、または暖める複数の細長い衣類吊り部材４２に給電するために、本発明による、図１ａ〜図１ｄを参照して述べるような装置である。
【００２２】
図２ａに示すように、折畳式骨組は、折り畳まれる構成であり、それによって第１の腕状部組立体および第２の腕状部組立体が、全体的に互いに平行である。折畳式骨組４０は、第１の腕状部組立体が第２の腕状部組立体に対して蝶番運動で水平状態になるように、図２ａに示すように伸ばすことができ、一方、第１の結合装置１０の差込部が同じ回転関係で保持される。さらに、図２ｃに示すように、第２の腕状部組立体も第１の腕状部組立体に対して蝶番運動ができ、一方、結合装置１０の差込部は、やはり同じ回転関係で保持される。
【００２３】
安全上の注意から、および使用者に対してある場合では電気技術者として、当業者が理解するはずであるように、電力ケーブル２０および２０ａが互いに干渉せず、ケーブルを最終的に裂く恐れがある疲労を強いられないようにすることが必要である。本発明は、細長い衣類吊り部材４２に配置または隣接して配置された加熱要素に電力を供給する電気ケーブル２０、２０ａを電気的に取付けその完全性を維持しながら、２つの腕状部組立体の間で蝶番運動を可能にする結合装置１０を提供する。本発明の結合装置１０は、電気ケーブルの完全性を危うくすることなく、腕状部組立体による複数の独立した運動を可能にするようになされる。したがって、使用しないときは迅速に分解し格納できるという利点が得られる、衣類を暖めるための、展開可能な折畳式骨組を提供することができる。
【００２４】
図３ａ、図３ｂおよび図３ｃを参照すると、本発明による結合装置１０の中央枢動部材１２の詳細図が示されている。中央枢動部材１２は、第１および第２のボス部材３０、３０ａの通路３２、３２ａ内に配置されたとき、ピン継手として働く差込部１６を含む。そのようにして、第１の腕状部材４０および第２の腕状部材４０ａは、互いに対して相対的な蝶番運動を行えるようになる。中央枢動部材１２は、電力伝導体２０、２０ａを受け入れるための中央通路１４、１４ａと、第１の腕状部材４０と第２の腕状部材４０ａとの間で相対的な蝶番運動が行われるとき、第１の導電体２０および第２の導電体２０ａを隔置した関係で保持する分離部１３とを有する。
【００２５】
図３ｆ、図３ｇを参照すると、第１のボス部材３０および第２のボス部材３０ａは、それぞれ中央枢動部材１２の中央通路から第１および第２の腕状部材４０、４０ａへのそれぞれ第１および第２の導電体２０、２０ａの通路となるための、半径方向に配置された孔を有する。当業者が理解するように、本発明によって、導電体２０、２０ａの互いの干渉がなく、導電体２０、２０ａの過剰な動きまたは捩れがなくて、導電体に良好な耐久性および疲労寿命をもたらし、したがって導電体から、最終的に細長い吊り部材４２中に、または近接して配置された加熱要素まで安全に電力を伝達するように、腕状部材の蝶番運動すべてにおいて第１の腕状部材４０および第２の腕状部材４０ａ両方に電気的結合を実現することができる。
【００２６】
図４ａ、図４ｂおよび図４ｃを参照すると、それは本発明による、衣類を暖めるための折畳式骨組組立体５０の例示の実施形態である。本発明では、骨組組立体５０は、図２ａ、図２ｂおよび図２ｃを参照すると示されている折畳式骨組に類似した、またはそれと同じ折畳式骨組４０と、折畳式骨組４０を支持するための支持台とを含む。図２ａ、図２ｂおよび図２ｃを参照すると組み立てる、または折り畳むプロセスに関して記載されているのと同様に、折畳式骨組組立体５０は、折畳式骨組４０が組み立てられていない状態のとき、骨組を折り畳み、格納可能な構成にすることも可能である。理解するはずのように、これによって、不使用時、折畳式骨組組立体５０の格納が容易になる。
【００２７】
図５ａ、図５ｂおよび図５ｃに示すように、図４ａ、図４ｂおよび図４ｃを参照すると示されているのと同様に、折畳式骨組組立体６０が示されているが、本実施形態では、衣類を暖める、または加熱するための領域を増加するために、３つの折畳式骨組４０が使用される。やはり、理解するはずであるように、折畳式骨組組立体６０は、遊星構成が可能で格納が容易になるように、すぐに分解して折り畳み可能である。
【００２８】
ここで図６ａ、図６ｂおよび図６ｃを参照すると、折畳式骨組組立体７０、８０および９０の例示の実施形態が図のようであり、それによって一段、二段および三段の組立体がそれぞれ実現される。当業者が理解するように、電気的な接続および配線は、形成される段数および具体的な構成に依存して、折畳式骨組のそれぞれに加熱用の電力を供給するために、骨組内で施すことができる。さらに、当業者がまた理解するように、本発明に述べ示すような装置を提供し、本発明によって提供される結合装置から使用者への安全性がやはり確保され、しかも格納が容易になる折畳式骨組組立体によって、衣類の加熱は、安全、効率的に達成することができる。したがって、その装置の使用者の安全性を危うくすることのない、効果的に加熱する、または暖める骨組を提供することができる。
【００２９】
上記に述べた実施形態は、代替の形を取ることができ、本発明とともに使用したとき、述べてクレームする本発明の範囲および精神内に留まる追加の特徴を含むことができることを理解するはずである。
【００３０】
本明細書に開示され定義された発明は、言及した、または本文または図面から明白である個々の特徴の２つ以上の代替の組合せすべてにまで及ぶことを理解するはずである。これらの異なる組合は、すべて本発明の様々な代替の態様を構成する。
【図面の簡単な説明】
【００３１】
【図１ａ】本発明による結合装置の中央枢動部材の実施形態の第１の斜視図である。
【図１ｂ】図１ａに示す中央枢動部材の第２の斜視図である。
【図１ｃ】図１ａおよび図１ｂに示す中央枢動部材に第１の腕状部材を係合した、本発明による結合装置の第１のボス部材を立体的な形にして示す図である。
【図１ｄ】第２の腕状部材と一体形成され、図１ｃに示す第１のボス部材および中央枢動部材と係合された第２のボス部を示す図である。
【図２ａ】完全に折り畳まれた構成で、本発明による折畳式骨組を示す図である。
【図２ｂ】半ば組み立てられた構成で、図２ａに示す折畳式骨組を示す図である。
【図２ｃ】完全に組み立てられた状態で、図２ａおよび図２ｂに示す折畳式骨組を示す図である。
【図３ａ】本発明による結合装置の中央枢動部材の斜視図である。
【図３ｂ】一対の電気ケーブルを含んだ、図３ａに示す中央枢動部材の斜視図である。
【図３ｃ】図２ｂに示す中央枢動部材の他の図である。
【図３ｄ】それぞれが第１の腕状部材および第２の腕状部材と一体形成された、本発明による結合装置の第１のボス部材および第２のボス部材を示す図である。
【図３ｅ】図３ａに示す中央枢動部材と係合された、図３ｂに示すボス部材および腕状部材を示す図である。
【図３ｆ】第１の構成で、第１の電気ケーブルがそこを貫通して延在する、図３ｅに示す結合装置の拡大図である。
【図３ｇ】第２の構成で、図３ｆに示す結合装置を示す図である。
【図４ａ】閉じられた構成で、本発明による折畳式骨組組立体の一実施形態を示す図である。
【図４ｂ】半ば組み立てられた構成で、図４ａに示す折畳式骨組組立体を示す図である。
【図４ｃ】完全に組み立てられた構成で、図４ａおよび図４ｂの折畳式骨組組立体を示す図である。
【図５ａ】閉じられた構成で、本発明による折畳式骨組組立体の他の実施形態を示す図である。
【図５ｂ】半ば組み立てられた構成で、図５ａに示す折畳式骨組組立体を示す図である。
【図５ｃ】完全に組み立てられた構成で、図５ａおよび図５ｂに示す折畳式骨組組立体を示す図である。
【図６ａ】１つの折畳式骨組を有する、本発明による折畳式骨組組立体の例示の実施形態を示す図である。
【図６ｂ】２つの折畳式骨組を有する、本発明による折畳式骨組組立体の他の例示の実施形態を示す図である。
【図６ｃ】３つの折畳式骨組を有する、本発明による折畳式骨組組立体の他の例示の実施形態を示す図である。
【符号の説明】
【００３２】
１０  結合装置
１２  中央枢動部材
１３  分離部
１４，１４ａ  中央通路
１６  差込部
２０  第１の導電体、電気ケーブル、電力ケーブル、電力伝導体
２０ａ  第２の導電体、電気ケーブル、電力ケーブル、電力伝導体
３０  第１のボス部材
３０ａ  第２のボス部材
３２，３２ａ  通路
４０  第１の腕状部材、折畳式骨組
４０ａ  第２の腕状部材
４２  衣類吊り部材
５０，６０，７０，８０，９０  折畳式骨組組立体
【図１ａ】
0005579359.tif 000002
【図１ｂ】
0005579359.tif 000003
【図１ｃ】
0005579359.tif 000004
【図１ｄ】
0005579359.tif 000005
【図２ａ】
0005579359.tif 000006
【図２ｂ】
0005579359.tif 000007
【図２ｃ】
0005579359.tif 000008
【図４ａ】
0005579359.tif 000009
【図４ｂ】
0005579359.tif 000010
【図４ｃ】
0005579359.tif 000011
【図５ａ】
0005579359.tif 000012
【図５ｂ】
0005579359.tif 000013
【図５ｃ】
0005579359.tif 000014
【図３ａ】
0005579359.tif 000015
【図３ｂ】
0005579359.tif 000016
【図３ｃ】
0005579359.tif 000017
【図３ｄ】
0005579359.tif 000018
【図３ｅ】
0005579359.tif 000019
【図３ｆ】
0005579359.tif 000020
【図３ｇ】
0005579359.tif 000021
【図６ａ】
0005579359.tif 000022
【図６ｂ】
0005579359.tif 000023
【図６ｃ】
0005579359.tif 000024